(57)【特許請求の範囲】
【請求項１】
各々前方に吹き口として開放する複数の笛室が左右方向に沿って上下２列に配置した本体と、各笛室に対応する吹きリード及び吸いリードを備えて該本体の上下に重ね固定される上下一対のリードプレートと、両リードプレートの外側に重ね固定される上下一対のカバーと、前記本体の前面側に配置して、該本体の各上下一対の吹き口に各々連通する複数の吹き孔が左右方向に配列したマウスピースと、前記本体とマウスピースとの間に左右方向摺動可能に介装され、各笛室と各吹き孔との間を選択的に開通させる複数の通気開口を有するスライドレバーとを具備し、
前記本体の各笛室の前部側が吹き口へ向けて左右幅を漸次狭める形状を備えることを特徴とするクロマチックハーモニカ。
【請求項２】
前記本体の各笛室は、吹き口の左右幅が内奥側の左右幅の４０〜６０％に設定されてなる請求項１に記載のクロマチックハーモニカ。
【請求項３】
前記カバーが合成樹脂成形物からなり、各カバーの内面側と対向するリードプレートとの間に、全部の吹きリード及び吸いリードに臨む蒲鉾形の音量増幅空間が構成されると共に、該音量増幅空間が後部側でリードプレートに沿うスリット状通気穴を介して外部に開放してなる請求項１又は２に記載のクロマチックハーモニカ。
【請求項４】
前記各カバーの表面に異なる大きさ及び形状を含む多数の装飾凹部が形成され、各装飾凹部の底面が偏光反射面をなす請求項１〜３のいずれかに記載のクロマチックハーモニカ。
【発明の詳細な説明】
【技術分野】
【０００１】
本発明は、スライドレバーの操作によって長音階と半音階の発音を可能とするクロマチックハーモニカに関する。
【背景技術】
【０００２】
一般的に、クロマチックハーモニカは、複数の笛室が左右方向に沿って上下２列に配置した本体（コーム）と、該本体の各上下一対の吹き口に各々連通する複数の吹き孔が左右方向に配列したマウスピースとの間に、前記笛室と前記吹き孔との間を選択的に開通させる複数の通気開口を有するスライドレバーが介装され、該スライドレバーの摺動操作で長音階と半音階の発音を切換え可能とするものであり、上級奏者向けのハーモニカとして従来より汎用されている（例えば、特許文献１，２）。また、クロマチックハーモニカとして、音階の切り換えを短時間で行えるように２つのスライドレバーを用いるものも提案されている（特許文献３）。【０００３】
そして、従来のクロマチックハーモニカにおいては、本体の隣接する笛室間の隔壁が前後方向に直線状をなし、これによって各笛室の左右幅が吹き口から内奥まで一定になっている。また、本体の上下に重ね固定されるリードプレートの外側には、金属製のカバーが装着されるのが普通であり、該カバーがマウスピースと一体化して、本体と上下のリードプレートの全体を覆う構成の器種もある。
【先行技術文献】
【特許文献】
【０００４】
【特許文献１】特開２０００−２７６１３２号公報
【特許文献２】特開２００８−１２２５２９号公報
【特許文献３】特開２０１３−１０１２４６号公報
【発明の概要】
【発明が解決しようとする課題】
【０００５】
クロマチックハーモニカとしては、楽器全般に言えることでもあるが、より良好な音質で大きな音量が得られることが望ましい。しかるに、従来のクロマチックハーモニカにあっては、音質や耐久性を高める目的で本体やリードプレートの材質を種々選択することは行われているが、構造的に音質や音量を向上させる工夫は殆どなされておらず、特に音質については音色の明瞭性の点で多分に改善の余地を残している。【０００６】
本発明は、上述の事情に鑑みて、クロマチックハーモニカとして、簡単な構造改良により、極めて明瞭な音色で大きな音量が得られるものを提供することを第一の目的とし、また意匠的に優れたものを提供することを第二の目的としている。
【課題を解決するための手段】
【０００７】
上記目的を達成するための手段を図面の参照符号を付して示せば、請求項１の発明に係るクロマチックハーモニカは、各々前方に吹き口１０として開放する複数の笛室１１が左右方向に沿って上下２列に配置した本体１と、各笛室１１に対応する吹きリード２１及び吸いリード２２を備えて該本体１の上下に重ね固定される上下一対のリードプレート２Ａ，２Ｂと、両リードプレート２Ａ，２Ｂの外側に重ね固定される上下一対のカバー３Ａ，３Ｂと、本体１の前面側に配置して、該本体１の各上下一対の吹き口１０，１０に各々連通する複数の吹き孔４０が左右方向に配列したマウスピース４と、本体１とマウスピース４との間に左右方向摺動可能に介装され、各笛室１１と各吹き孔４０との間を選択的に開通させる複数の通気開口５０ａ，５０ｂを有するスライドレバー５とを具備し、本体１の各笛室１１の前部側（狭窄部１１ａ）が吹き口１０へ向けて左右幅を漸次狭める形状を備えることを特徴としている。【０００８】
請求項２の発明は、上記請求項１のクロマチックハーモニカにおいて、本体１の各笛室１１は、吹き口１０の左右幅Ｗ１が内奥側の左右幅Ｗ２の４０〜６０％に設定されてなるものとしている。【０００９】
請求項３の発明は、上記請求項１又は２のクロマチックハーモニカにおいて、カバー３Ａ，３Ｂが合成樹脂成形物からなり、各カバー３Ａ，３Ｂの内面側と対向するリードプレート２Ａ，２Ｂとの間に、全部の吹きリード２１及び吸いリード２２に臨む蒲鉾形の音量増幅空間６が構成されると共に、該音量増幅空間６が後部側でリードプレート２Ａ，２Ｂに沿うスリット状通気穴６ａを介して外部に開放してなるものとしている。【００１０】
請求項４の発明は、上記請求項１〜３のいずれかのクロマチックハーモニカにおいて、各カバー３Ａ，３Ｂの表面に異なる大きさ及び形状を含む多数の装飾凹部３０が形成され、各装飾凹部３０の底面３０ａが偏光反射面をなすものとしている。
【発明の効果】
【００１１】
以下に、本発明の効果について、図面の参照符号を付して説明する。まず、請求項１の発明に係るクロマチックハーモニカによれば、従来のクロマチックハーモニカに比較し、極めて明瞭な音色で且つ大きな音量が得られる。すなわち、従来のクロマチックハーモニカのように各笛室が吹き口から内奥まで一定した左右幅のストレートな空間を構成している場合、吹き口から吹き込まれた気流ならびに吸い込んだ気流が該笛室内で乱れて渦を生じ易く、この渦によって吹きリード２１及び吸いリード２２の振動が不規則になることで、音色の濁りが発生すると共に、該笛室内での共鳴作用が低下して音量が小さくなる。これに対し、本発明のクロマチックハーモニカでは、本体１の各笛室１１の前部側（狭窄部１１ａ）が吹き口１０へ向けて左右幅を漸次狭める形状を備えることから、その前部側において吹き込まれた気流ならびに吸い込んだ気流はコアンダ効果によって湾曲した左右両側の壁面に沿うように誘導され、もって笛室１１内での気流の乱れによる渦の発生が抑えられる結果、吹きリード２１及び吸いリード２２の振動が安定することで、非常に精緻で澄んだ音色になると共に、該笛室１１内で理想的なヘルツホルム共鳴を生じて大きな音量が得られるものと推測される。【００１２】
請求項２の発明によれば、本体１の各笛室１１の吹き口１０の左右幅Ｗ１が内奥側の左右幅Ｗ２に対して特定範囲に設定されていることから、より明瞭な音色でより大きな音量が得られる。【００１３】
請求項３の発明によれば、各カバー３Ａ，３Ｂの内面側と対向するリードプレート２Ａ，２Ｂとの間に、全部の吹きリード２１及び吸いリード２２に臨む蒲鉾形の音量増幅空間６が構成され、該音量増幅空間６が後部側でリードプレート２Ａ，２Ｂに沿うスリット状通気穴６ａを介して外部に開放しているから、音量増幅が効果的になされ、より大きな音が発生することに加え、両カバー３Ａ，３Ｂが合成樹脂成形物からなるため、従来の一般的な金属製カバーを用いた場合よりも綺麗な音質になる。【００１４】
請求項４の発明によれば、各カバー３Ａ，３Ｂの表面に形成された異なる大きさ及び形状を含む多数の装飾凹部３０が、底面３０ａの偏光反射で見る角度によって様々な色合いに変化して視認されるから、外観的に非常に美麗で優れた意匠効果が得られる上、指先が装飾凹部３０に掛かって滑り止めになるため、演奏時の操作がより容易になる。
【図面の簡単な説明】
【００１５】
【図１】本発明の一実施形態に係るクロマチックハーモニカの斜視図である。
【図２】同クロマチックハーモニカの分解斜視図である。
【図３】同クロマチックハーモニカの平面図である。
【図４】図３のＸ−Ｘ線の矢視断面図である。
【図５】図４のＹ−Ｙ線の矢視断面図である。
【図６】同クロマチックハーモニカの本体の要部の斜視図である。
【図７】同クロマチックハーモニカのカバーの斜視図である。
【図８】同カバーの分解斜視図である。
【発明を実施するための形態】
【００１６】
以下に、本発明に係るクロマチックハーモニカの一実施形態について、図面を参照して具体的に説明する。この実施形態では主流である１２穴３オクターブ型のクロマチックハーモニカを例示している。
【００１７】
図１〜図３に示すように、実施形態のクロマチックハーモニカは、コームと称される本体１と、該本体１の上下に重ね固定される一対のリードプレート２Ａ，２Ｂと、両リードプレート２Ａ，２Ｂの外側に重ね固定される上下一対のカバー３Ａ，３Ｂと、本体１の前面側に配置する帯状の裏板７と、該裏板７の前面側に配置するマウスピース４と、裏板７とマウスピース４との間に左右方向摺動可能に介装される帯板状のスライドレバー５とで構成されている。なお、本体１及び上下のカバー３Ａ，３Ｂは硬質合成樹脂成形物からなり、上下のリードプレート２Ａ，２Ｂと裏板７及びスライドレバー５とマウスピース４は真鍮やステンレス鋼の如き金属製である。また、スライドレバー５の右端には丸釦状の操作ノブ５１が一体形成されている。
【００１８】
本体１は、左右方向に長い矩形厚板状をなし、各々前方に矩形の吹き口１０として開放する合計２４の笛室１１が、左から右へ高音となる音階順に上下２列に配置している。また、該本体１には、いずれも笛室１１の配列領域から外れて、左右両側の各２カ所及び後側の６カ所で上下方向に貫設されたねじ挿通孔１２、左右両側の各１カ所に埋設されて上下両側に開く埋め込みナット１３、前面左右両側に開口したねじ止め用孔１４、前面側右端部に開口したバネ取付孔１５が設けてある。そして、バネ取付孔１５には、レバー復帰用のタコバネ１６が一端を僅かに突出する状態に装着されている。
【００１９】
この本体１の笛室１１は、平面視で前後方向に長い略矩形であって、左右配列の右側つまり高音側ほど前後長さが短くなっているが、図５及び図６で詳細に示すように、いずれも前部側が吹き口１０へ向けて左右幅を漸次狭める狭窄部１１ａをなしている。また、図４及び図６に示すように、各笛室１１の奥端部１１ｂは、底部からリードプレート２Ａ，２Ｂ側へ滑らかに立ち上がる傾斜曲面状になっている。また、左右に隣接する吹き口１０，１０同士の左右間隔は、一つの吹き口１０の左右幅と略等しく設定されている。
【００２０】
リードプレート２Ａ，２Ｂは、左右長さ及び前後幅が本体１と略等しい帯板状をなし、各音階に対応する長さを有する各１２本の吹きリード２１及び吸いリード２２が左右方向に沿って交互に配置すると共に、外面側の前縁に沿って係止溝２３が形成されている。また、両リードプレート２Ａ，２Ｂには、本体１の各ねじ挿通孔１２に対応する丸穴２４と、該本体１の各埋め込みナット１３に臨む丸穴２５ａ及び長孔２５ｂとが穿設されている。そして、図４に示すように、吹きリード２１及び吸いリード２２は薄い帯状金属片からなり、本体１の各笛室１１毎に２つずつの割合で設けた前後に長い各通気穴２０に対し、吹きリード２１が外側から覆うように前端側でピン止めされ、吸いリード２２が内側から覆うように後端側でピン止めされている。
【００２１】
上下のカバー３Ａ，３Ｂは、左右長さ及び前後幅が本体１と略等しく、外側表面の中央に半楕円状に若干高くなった銘表示部３ａを有すると共に、図１〜図３に示すように、外側表面の左右両側に多数の形状及び大きさの異なる装飾凹部３０が全体として蝶の羽根模様状に形成されており、各装飾凹部３０の底面３０ａが偏光反射面となっている。そして、両カバー３Ａ，３Ｂの前縁部３ｂ及び左右側縁部３ｃ，３ｃは外側へ低く傾斜し、その両側縁部３ｃ，３ｃには本体１の埋め込みナット１３に臨むねじ受け穴３１が形成され、上側カバー３Ａの傾斜した前縁部３ｂには吹き穴ポジションを示す１〜１２の番号が表示されている。
【００２２】
また、両カバー３Ａ，３Ｂの内面側には、図２及び図７に示すように、左右方向に長い矩形凹陥部３２が形成されており、該矩形凹陥部３２左右両縁からねじ受け穴３１を有する取付部３３が左右外側へ延出している。この矩形凹陥部３２の後縁部３２ｂは、前縁部３２ａよりも低く設定されると共に、左右方向中間位置に前縁部３２ａと同高さになる突片３４が形成されている。そして、両カバー３Ａ，３Ｂは、図４に示すように、リードプレート２Ａ，２Ｂの外側にそれぞれ重ねることにより、その矩形凹陥部３２が該リードプレート２Ａ，２Ｂの表面との間で左右方向に沿う蒲鉾形の音量増幅空間６を構成すると共に、矩形凹陥部３２の低い後縁部３２ｂとリードプレート２Ａ，２Ｂと間で、突片３４にて左右２つに分かれたスリット状通気穴６ａ，６ａを形成し、これらスリット状通気穴６ａを介して該音量増幅空間６が後方外部へ開放している。また、音量増幅空間６は、リードプレート２Ａ，２Ｂの全部（１２本）の吹きリード２１及び吸いリード２２に臨む左右長さに設定されている。
【００２３】
なお、両カバー３Ａ，３Ｂ自体は、図８に示すように、左右の取付部３３，３３を一体形成した舟形の外側枠体３１０と、その矩形凹所３１１に嵌合する矩形トレー状の内側枠体３２０と、両枠体３１０，３２０間に介在する偏光反射フィルム３３０とを接着一体化することで構成されている。そして、外側枠体３１０には各装飾凹部３０に対応する多数の透孔３００が形成されており、各透孔３００が内側枠体３２０を底として偏光反射フィルム３３０で塞がれることにより、図１〜図３の如く底面３０ａが偏光反射面になる装飾凹部３０を形成するようにしている。
【００２４】
裏板７は、本体１の各吹き口１０に合致する上下２列の矩形の通気口７０を有すると共に、左右両端部に該本体１の前面左右両側のねじ止め用孔１４に臨む円孔７１が穿設され、また、右端部には側端に開く切欠部７２を備えている。
【００２５】
スライドレバー５は、本体１の上列側の吹き口１０に対応する１２の矩形の上側通気開口５０ａと、同下列側の吹き口１０に対応する１２の矩形の下側通気開口５０ｂとが、左右方向に半ピッチずれて、全体として千鳥配置に開設されており、左右に隣接する上側通気開口５０ａ，５０ａ間ならびに下側通気開口５０ｂ，５０ｂ間が遮蔽部５０ｃを構成している。そして、該スライドレバー５の左右両端部には本体１の前面左右両側のねじ止め用孔１４に臨む左右方向の長孔５２が穿設されると共に、右側の長孔５２と操作ノブ５１との間にバネ係止用の小孔５３が穿設されている。
【００２６】
マウスピース４は、本体１の前面に対応する上下幅及び左右長さの帯片状で、前面側が滑らかに畝状に膨出した形状を備えており、左右方向に沿って１２の吹き孔４０が一定間隔置きに配列すると共に、左右両端部に本体１の前面左右両側のねじ止め用孔１４に臨む円孔４１が穿設されている。そして、各吹き孔４０は、前面には円形に開口しているが、後面側には上下に長い矩形に開口しており、本体１の各上下一対の吹き口１０，１０に連通するようになっている。また、該マウスピース４の後面側は、上下縁に沿う突縁部４２，４２を備え、両突縁部４２，４２が裏板７に当接した状態で、該裏板７との間でスライドレバー５の挿通間隙ｔ（図５参照）を構成する。
【００２７】
クロマチックハーモニカを組み立てるには、まず本体１の上下にリードプレート２Ａ，２Ｂをそれぞれ重ね合わせ、図４に示すように、本体１の各ねじ挿通孔１２とこれに連通する両リードプレート２Ａ，２Ｂの丸穴２４，２４に、ボルト８Ａを通してナット８Ｂで螺合緊締することにより、該本体１にリードプレート２Ａ，２Ｂを固定したのち、両リードプレート２Ａ，２Ｂの外側に、カバー３Ａ，３Ｂを前縁が係止溝２３に係合するように被せ、カバー３Ａ，３Ｂの左右のねじ受け穴３１，３１から止着ボルト８Ｃ（図１，３参照）をリードプレート２Ａ，２Ｂの丸穴２５ａ及び長孔２５ｂを通して本体１の埋め込みナット１３に螺合緊締することにより、両カバー３Ａ，３Ｂを本体１に固定する。一方、本体１の前面側に裏板７を当接し、その裏板７上にスライドレバー５を重ねると共に、裏板７の切欠部７２から突出したタコバネ１６の一端を該スライドレバー５の小孔５３に係入し、この係入状態を保った該スライドレバー５の外側に更にマウスピース４を被せ、該マウスピース４の左右の各円孔４１からスライドレバー５の長孔５２及び裏板７の円孔７１を通して、本体１のねじ止め用孔１４に止着ねじ９（図１参照）を螺挿することにより、本体１に裏板７及びマウスピース４を固定すればよい。
【００２８】
かくして組み立てられたクロマチックハーモニカでは、常時はスライドレバー５がタコバネ１６の付勢によって右側へ突出しており、この突出状態でマウスピース４の各吹き孔４０が該スライドレバー５の下側通気開口５０ｂを通して本体１の各下側の笛室１１に連通するが、該本体１の各上側の笛室１１はスライドレバー５の遮断部５０ｃによって各吹き孔４０から遮断されている。一方、スライドレバー５をタコバネ１６の付勢に抗して押し込むと、逆に、マウスピース４の各吹き孔４０はスライドレバー５の上側通気開口５０Ａを通して本体１の各上側の笛室１１に連通するが、該本体１の各下側の笛室１１はスライドレバー５の遮断部５０ｃによって各吹き孔４０から遮断される。そして、本体１の各笛室１１毎に吹きリード２１及び吸いリード２２の対が配置しているから、上下の各笛室１１の各々の連通状態における吹き吸いによって半音階ずつ異なる計４つの音を出せ、もってマウスピース４の４個の吹き孔４０にて１オクターブ、全体の１２個の吹き孔４０にて３オクターブにわたる発音を行える。
【００２９】
上記構成のクロマチックハーモニカによれば、従来のクロマチックハーモニカに比較し、極めて明瞭な音色で且つ大きな音量が得られることが判明している。その理由については明確ではないが、次のように想定される。すなわち、従来のクロマチックハーモニカのように各笛室が吹き口から内奥まで一定した左右幅のストレートな空間を構成している場合、吹き口から吹き込まれた気流ならびに吸い込んだ気流が該笛室内で乱れて渦を生じ易く、この渦によって吹きリード２１及び吸いリード２２の振動が不規則になることで、音色の濁りが発生すると共に、該笛室内での共鳴作用が低下して音量が小さくなると考えられる。これに対し、本発明のクロマチックハーモニカでは、本体１の各笛室１１の前部側に吹き口１０へ向けて左右幅を漸次狭める狭窄部１１ａを備えることから、その前部側において吹き込まれた気流ならびに吸い込んだ気流はコアンダ効果によって湾曲した左右両側の壁面に沿うように誘導され、もって笛室１１内での気流の乱れによる渦の発生が抑えられる結果、吹きリード２１及び吸いリード２２の振動が安定することで、非常に精緻で澄んだ音色になると共に、該笛室１１内で理想的なヘルツホルム共鳴を生じて大きな音量が得られるものと推測される。
【００３０】
なお、本体１の各笛室１１としては、図６に示すように、吹き口１０の左右幅Ｗ１を内奥側の左右幅Ｗ２の４０〜６０％に設定することが推奨される。この吹き口１０の左右幅Ｗ１が内奥側の左右幅Ｗ２の６０％を越えると上記の作用効果を充分に発揮できず、逆に４０％未満では吹き口１０の通気性悪化で却って音量低下をきたす懸念がある。更に、各笛室１１の具体的サイズとしては、吹き口１０の左右幅Ｗ１を４〜５ｍｍ、内奥側の左右幅Ｗ２を８〜１０ｍｍ、内奥側から吹き口１０へ左右幅を狭める狭窄部１１ａの前後長さＬを５〜７ｍｍとするのがよい。
【００３１】
また、実施形態のクロマチックハーモニカでは、各カバー３Ａ，３Ｂの内面側と対向するリードプレート２Ａ，２Ｂとの間に蒲鉾形の音量増幅空間６が構成され、該音量増幅空間６が後部側でリードプレート２Ａ，２Ｂに沿うスリット状通気穴６ａを介して外部に開放しているから、音量増幅が効果的になされ、より大きな音が発生することに加え、両カバー３Ａ，３Ｂが合成樹脂成形物からなるため、従来の一般的な金属製カバーを用いた場合のようなカバーの不等共振による音変化を生じず、もって濁音のない綺麗な音質になるという利点がある。
【００３２】
更に、実施形態のクロマチックハーモニカは、各カバー３Ａ，３Ｂの表面に形成された異なる大きさ及び形状を含む多数の装飾凹部３０が、底面３０ａの偏光反射で見る角度によって様々な色合いに変化して視認されるから、外観的に非常に美麗で優れた意匠効果が得られる。なお、意匠的には、本体１及び両カバー３Ａ，３Ｂを黒色の合成樹脂製とすることで、真鍮やステンレス鋼からなるマウスピース４０とリードプレート２Ａ，２Ｂ及びスライドレバー５の露呈部の金属色が映え、より美麗で高級感が得られる。また、ハーモニカは演奏時に俊敏に動かす必要があるが、指先が装飾凹部３０に掛かって滑り止めになるため、演奏操作がより容易になるという利点もある。
【００３３】
本発明のクロマチックハーモニカとしては、例示した１２穴３オクターブ型に限らず、１６穴４オクターブ型等の他の型式のものも包含する。また、例示した笛室１１の配列は上下一方側を長音階配列、他方側を半音階配列とする所謂ストレート配列であるが、２列の笛室に交互に長音階の音と短音階の音を割り当て、各音階の音を横方向に千鳥状に配した所謂クロス配列等、他の配列形態も採用可能であり、その配列形態に応じてスライドレバーの通気開口の配置を設定すればよい。更に、カバー３Ａ，３Ｂの表面に設ける装飾凹部３０の数及び形状と配置についても、例示以外に種々設定できる。その他、本発明においては、各構成部材の形状、構成部材同士の結合形態及び結合位置等、細部構成については実施形態以外に種々設計変更可能である。
【符号の説明】
【００３４】
１              本体
１０            吹き口
１１            笛室
１１ａ          狭窄部（前部側）
２Ａ，２Ｂ      リードプレート
２１            吹きリード
２２            吸いリード
３Ａ，３Ｂ      カバー
３０            装飾凹部
３０ａ          底面
４              マウスピース
４０            吹き孔
５              スライドレバー
５０ａ，５０ｂ  通気開口
６              音量増幅空間
６ａ            スリット状通気孔
Ｗ１            吹き口の左右幅
Ｗ２            内奥側の左右幅
【要約】
【課題】クロマチックハーモニカとして、簡単な構造改良により、極めて明瞭な音色で大きな音量が得られるものを提供する。
【解決手段】前方に吹き口１０として開放する複数の笛室１１が上下２列に配置した本体１と、各笛室１１に対応する吹きリード２１及び吸いリード２２を備えて該本体１の上下に固定されるリードプレート２Ａ，２Ｂと、両リードプレート２Ａ，２Ｂの外側に固定されるカバー３Ａ，３Ｂと、本体１の前面側に配置して各上下一対の吹き口１０，１０に各々連通する複数の吹き孔４０を備えたマウスピース４と、本体１とマウスピース４との間に摺動可能に介装され、各笛室１１と各吹き孔４０との間を選択的に開通させる複数の通気開口５０ａ，５０ｂを有するスライドレバー５とを具備し、本体１の各笛室１１の前部側が吹き口１０へ向けて左右幅を漸次狭める形状を備えることを特徴とする。
【選択図】図５【図１】
0005812458.tif 000002
【図２】
0005812458.tif 000003
【図３】
0005812458.tif 000004
【図４】
0005812458.tif 000005
【図５】
0005812458.tif 000006
【図６】
0005812458.tif 000007
【図７】
0005812458.tif 000008
【図８】
0005812458.tif 000009